(57)【要約】【課題】配線工事をすることなく既存の照明器具に使用することができ、かつ、確実に検知手段を動作させて、人の存否によって、照明器具を点灯制御することができる遠隔点灯装置を実現する。【解決手段】照明装置に附属のリモートコントローラとは別の遠隔点灯装置１の検知部１１が人の存在を検知すると、通信部１３は、照明装置のＯＮ信号を記憶部１２から読み出し、照明装置に送信する。検知部１１が人の不在を検知すると、通信部１３は、照明装置のＯＦＦ信号を記憶部１２から読み出し、照明装置に送信する。【選択図】図２
2014022197.tif 000002
【特許請求の範囲】
【請求項１】
照明装置に点灯信号を送信する遠隔点灯装置であって、
人の存在を検知する検知手段と、
前記照明装置に附属のリモートコントローラの点灯指示信号と同じ信号を記憶する記憶手段と、
前記検知手段が人の存在を検知した場合、前記点灯指示信号と同じ信号を前記照明装置に送信する通信手段と、
を備えることを特徴とする遠隔点灯装置。
【請求項２】
前記検知手段は、人の存否を検知し、
前記記憶手段は、前記照明装置に附属のリモートコントローラの消灯指示信号と同じ信号を記憶し、
前記通信手段は、前記検知手段が人の不在を検知した場合、前記消灯指示信号と同じ信号を前記照明装置に送信することを特徴とする請求項１に記載の遠隔点灯装置。
【請求項３】
前記検知手段は間歇駆動であることを特徴とする請求項１または２に記載の遠隔点灯装置。
【請求項４】
駆動電源が電池であることを特徴とする請求項１ないし３のいずれか１項に記載の遠隔点灯装置。
【請求項５】
前記電池の残量を表示する表示手段をさらに備えることを特徴とする請求項４に記載の遠隔点灯装置。
【請求項６】
前記電池の残量が所定の値以下になった場合に、警告を出力する警告手段をさらに備えることを特徴とする請求項４または５に記載の遠隔点灯装置。
【発明の詳細な説明】
【技術分野】
【０００１】
本発明は、照明器具に用いる遠隔点灯装置に関する。
【背景技術】
【０００２】
人が近づいたことを検知する人感センサによって点灯する照明器具が用いられている。このような人感センサを用いた照明器具には、照明器具本体に人感センサを搭載したものや、壁スイッチに人感センサを搭載したもの、リモコン送信機に人感センサを搭載したものなどがある。
【０００３】
特許文献１には、電池を電源とし、人体感知センサにより人の存在を検出したときに、明るさセンサにより検出された明るさに応じた信号を照明装置に向けて送信する無線送信装置が開示されている。
【０００４】
特許文献２には、ワイヤレス発信器自身が点灯させた照明器具によって周囲が所定照度以上明るいと判定したことによる当該照明器具の未作動を防止することができるワイヤレス発信器が開示されている。
【０００５】
特許文献３には、明るさが既定の閾値を下回っている期間に人が検知されると、照明負荷を点灯させ、待機期間中に人が検知されると明るさセンサにより検出される明るさによらず照明負荷を点灯させる人体検知装置が開示されている。
【０００６】
特許文献４には、周囲の照度が所定の閾値レベルよりも低下したときに低レベルで点灯し、人体を検知すると、予め定められた時間だけ高レベルで点灯する自動調光装置が開示されている。
【０００７】
特許文献５には、第１の照度センサと第１の照度センサの照度検出エリア外の照度を検出する第２の照度センサと人感センサとを備え、第１の照度センサおよび第２の照度センサが検出した照度レベルと照度検出エリア内の人の存否に基づいて、照明灯の制御を行う照明装置が開示されている。
【先行技術文献】
【特許文献】
【０００８】
【特許文献１】特開２０１１−２０４６３１号公報
【特許文献２】特開２００８−２３４９４０号公報
【特許文献３】特開２００６−０４０９０３号公報
【特許文献４】実開平０３−０７６３９３号公報
【特許文献５】特開２０００−１６４３６６号公報
【発明の概要】
【発明が解決しようとする課題】
【０００９】
しかしながら、照明器具本体に人感センサを搭載した照明器具では、人感センサ回路を搭載した専用の回路基板が必要であり、また、照明器具本体も人感センサが動作するよう特殊な構造にする必要がある。壁スイッチに人感センサを搭載した照明器具では、壁スイッチの取り付けに配線が必要である。これらの照明器具の場合、既存の照明器具を用いることができず、取り替える必要がある。
【００１０】
リモコン送信機に人感センサを搭載した照明器具では、人感センサを搭載した専用のリモコン送信回路が必要である。また、リモコンが定位置にはないため、置かれた場所によっては人感センサが動作しない場合もある。
【００１１】
特許文献１〜５に記載の技術では、人感センサと明るさセンサとの出力の組み合わせに基づいて、照明装置を制御するので、明るさの閾値を記憶しておき、閾値を超えるか否かなどの判断をする必要がある。これにより、処理が複雑となり、コストも高くなる。
【００１２】
本発明は、上記事情に鑑みてなされたものであり、配線工事をすることなく既存の照明器具に使用することができ、かつ、確実に検知手段を動作させて、人の存否によって、照明器具を点灯制御することができる遠隔点灯装置を提供することを目的とする。
【課題を解決するための手段】
【００１３】
本発明にかかる遠隔点灯装置は、
照明装置に点灯信号を送信する遠隔点灯装置であって、
人の存在を検知する検知手段と、
前記照明装置に附属のリモートコントローラの点灯指示信号と同じ信号を記憶する記憶手段と、
前記検知手段が人の存在を検知した場合、前記点灯指示信号と同じ信号を前記照明装置に送信する通信手段と、
を備えることを特徴とする。
【発明の効果】
【００１４】
本発明によれば、配線工事をすることなく既存の照明器具に使用することができ、かつ、確実に検知手段を動作させて、人の存否によって、照明器具を点灯制御することができる遠隔点灯装置を実現可能である。
【図面の簡単な説明】
【００１５】
【図１】本発明の実施の形態に係る照明制御システムの構成例を示す図である。
【図２】実施の形態に係る遠隔点灯装置の構成の一例を示すブロック図である。
【図３】実施の形態に係る遠隔点灯装置の動作の一例を示すフローチャートである。
【発明を実施するための形態】
【００１６】
以下、この発明の実施の形態について説明する。
【００１７】
図１は、本発明の実施の形態に係る照明制御システムの構成例を示す図である。実施の形態に係る照明制御システムは、照明装置２と、照明装置２に附属のリモートコントローラ２Ｒ（以下、リモコン２Ｒという）と、照明装置２のＯＮ―ＯＦＦを制御可能な遠隔点灯装置１とにより構成される。遠隔点灯装置１は、リモコン２Ｒとは別に備えられ、照明装置２とリモコン２Ｒは、既存のものを用いることができる。
【００１８】
遠隔点灯装置１は、人の存否を検知する機能を備え、人の存在を検知すると点灯を指示するＯＮ信号を照明装置２に送信し、人の不在を検知すると消灯を指示するＯＦＦ信号を照明装置２に送信する。このＯＮ信号およびＯＦＦ信号は、リモコン２ＲのＯＮ信号およびＯＦＦ信号と同じ信号である。照明装置２は、遠隔点灯装置１からＯＮ信号を受信すると点灯し、ＯＦＦ信号を受信すると消灯する。
【００１９】
本実施の形態の照明制御システムでは、照明装置２がある空間で、人の存否を確実に検知できる位置に遠隔点灯装置１を設置する。これにより、部屋に人が入ると、確実に照明装置２が点灯する。なお、遠隔点灯装置１は、ユーザが任意の位置に設置してもよい。
【００２０】
図２は、実施の形態に係る遠隔点灯装置の構成の一例を示すブロック図である。遠隔点灯装置１は、人の存否を検知する検知部１１と、照明装置２のＯＮ―ＯＦＦ信号を記憶する記憶部１２と、照明装置２のＯＮ―ＯＦＦ信号を送信する通信部１３と、で構成される。
【００２１】
検知部１１は、たとえば、赤外線人感センサで構成され、検知範囲の人の存否を検知する。本実施の形態では、照明装置２がある部屋の人の存否を検知する。検知部１１は、人の存在を検知すると、人の存在を検知したことを示す信号を通信部１３に送る。検知部１１は、人の不在を検知すると、人の不在を検知したことを示す信号を通信部１３に送る。
【００２２】
人の存在の検知とは、人がいない状態から人がいる状態になったことを検知することであり、人の不在の検知とは、人がいる状態から人がいない状態になったことを検知することである。
【００２３】
記憶部１２は、たとえば、不揮発性メモリで構成され、リモコン２Ｒと同じ照明装置２のＯＮ―ＯＦＦ信号を記憶する。このＯＮ―ＯＦＦ信号は、たとえば、通信部１３がリモコン２Ｒから受信することで取得するとよい。
【００２４】
通信部１３は、赤外線や電波等などの無線通信装置と専用回路で構成され、検知部１１から人の存在を検知したことを示す信号を受け取ると、ＯＮ信号を記憶部１２から読み出し、照明装置２に送信する。また、通信部１３は、検知部１１から人の不在を検知したことを示す信号を受け取ると、ＯＦＦ信号を記憶部１２から読み出し、照明装置２に送信する。
【００２５】
通信部１３がリモコン２Ｒから照明装置２のＯＮ―ＯＦＦ信号を受信する構成では、通信部１３は、受信した照明装置２のＯＮ―ＯＦＦ信号を記憶部１２に記憶させる。
【００２６】
なお、遠隔点灯装置１はＣＰＵを備え、ＣＰＵが赤外線人感センサや不揮発性メモリなどのハードウェアを制御し、各処理を実行してもよい。
【００２７】
図３は、実施の形態に係る遠隔点灯装置の動作の一例を示すフローチャートである。図３の処理は、遠隔点灯装置１の電源がＯＮになると開始する。
【００２８】
遠隔点灯装置１の検知部１１が人の存在を検知すると（ステップＳ１１；ＹＥＳ）、通信部１３は、照明装置２のＯＮ信号を記憶部１２から読み出し、照明装置２に送信する（ステップＳ１２）。照明装置２は、遠隔点灯装置１からＯＮ信号を受信すると点灯する。
【００２９】
検知部１１が人の不在を検知すると（ステップＳ１１；ＮＯ、ステップＳ１３；ＹＥＳ）、通信部１３は、照明装置２のＯＦＦ信号を記憶部１２から読み出し、照明装置２に送信する（ステップＳ１４）。照明装置２は、遠隔点灯装置１からＯＦＦ信号を受信すると消灯する。
【００３０】
人の不在を検知しない場合（ステップＳ１３；ＮＯ）、遠隔点灯装置１の電源がＯＦＦになっていなければ（ステップＳ１５；ＮＯ）、処理はステップＳ１１に戻り、ステップＳ１１〜ステップＳ１５を繰り返す。遠隔点灯装置１の電源がＯＦＦになった場合（ステップＳ１５；ＹＥＳ）、処理を終了する。
【００３１】
本実施の形態の遠隔点灯装置１によれば、配線工事をすることなく既存の照明器具に使用することができ、かつ、確実に人感センサを動作させて、人の存否によって、照明器具のＯＮ−ＯＦＦを制御することができる。
【００３２】
たとえば、照明装置の附属のリモコンに人感センサを搭載した場合、リモコン２Ｒの場所は定まっておらず、人感センサが動作しない場所にユーザが置いてしまう可能性がある。また、照明装置の壁スイッチに人感センサを搭載した場合、壁スイッチと照明器具との配線が必要である。しかしながら、遠隔点灯装置１は、人感センサが確実に動作する位置に配置することができ、且つ、配線も不要である。また、照明装置の附属のリモコンとは別のものなので、リモコン操作の利便性を損なわない。さらに、人感センサとメモリと無線通信装置のみで構成されるので、低コストで実現することができる。
【００３３】
なお、遠隔点灯装置１は、電池を電源とするとよい。これにより、どこでもユーザの好きな場所に簡単に設置することができる。この場合、電池の消耗を低減するために、検知部１１は、たとえば１秒に１回などの間隔で間歇駆動するとよい。また、遠隔点灯装置１は、表示部を備え、電池の残量を表示させてもよい。さらに、電池の残量が閾値以下になった場合に、ランプの点灯や、警告音の出力、警告メッセージの表示などの警告を出力する警告部を備えてもよい。遠隔点灯装置１は蓄電池と太陽光パネルを備え、太陽光パネルで発電して蓄電池を充電してもよい。
【００３４】
遠隔点灯装置１を設置する場所にコンセントがある場合には、コンセントから電源を受給してもよい。
【００３５】
実施の形態では、通信部１３は、検知部１１から人の存在を検知したことを示す信号を受け取ると、ＯＮ信号を記憶部１２から読み出し、照明装置２に送信し、人の不在を検知したことを示す信号を受け取ると、ＯＦＦ信号を記憶部１２から読み出し、照明装置２に送信する。しかし、これに限らず、検知部１１は、人の存在のみを検知し、通信部１３は、検知部１１から人の存在を検知したことを示す信号を受け取ると、ＯＮ信号を記憶部１２から読み出し、照明装置２に送信するだけでもよい。
【００３６】
上記の実施形態の一部または全部は、以下の付記のようにも記載されうるが、以下には限られない。
【００３７】
（付記１）
照明装置に点灯信号を送信する遠隔点灯装置であって、
人の存在を検知する検知手段と、
前記照明装置に附属のリモートコントローラの点灯指示信号と同じ信号を記憶する記憶手段と、
前記検知手段が人の存在を検知した場合、前記点灯指示信号と同じ信号を前記照明装置に送信する通信手段と、
を備えることを特徴とする遠隔点灯装置。
【００３８】
（付記２）
前記検知手段は、人の存否を検知し、
前記記憶手段は、前記照明装置に附属のリモートコントローラの消灯指示信号と同じ信号を記憶し、
前記通信手段は、前記検知手段が人の不在を検知した場合、前記消灯指示信号と同じ信号を前記照明装置に送信することを特徴とする付記１に記載の遠隔点灯装置。
【００３９】
（付記３）
前記検知手段は間歇駆動であることを特徴とする付記１または２に記載の遠隔点灯装置。
【００４０】
（付記４）
駆動電源が電池であることを特徴とする付記１ないし３のいずれかに記載の遠隔点灯装置。
【００４１】
（付記５）
前記電池の残量を表示する表示手段をさらに備えることを特徴とする付記４に記載の遠隔点灯装置。
【００４２】
（付記６）
前記電池の残量が所定の値以下になった場合に、警告を出力する警告手段をさらに備えることを特徴とする付記４または５に記載の遠隔点灯装置。
【符号の説明】
【００４３】
１  遠隔点灯装置
２  照明装置
２Ｒ  リモートコントローラ
１１  検知部
１２  記憶部
１３  通信部
【図１】
2014022197.tif 000003
【図２】
2014022197.tif 000004
【図３】
2014022197.tif 000005